(57)【要約】【課題】強力な磁石を使用して可動翼片を開放させる不正行為を有効に防止する。  【解決手段】回動可能な左右一対の可動翼片３と、電磁ソレノイド２によって駆動され、上下動する脚部５２によって可動翼片３の後方からこれを開閉操作する操作アーム５と、略Ｌ字形に屈曲形成され、その縦壁６１を可動翼片３の前方のカバー部立壁４１に沿って位置させるとともに、その横壁６２を操作アーム５の脚部５２に向けて延出させてこれの下方に位置させた磁性板６とを備える。  【選択図】        図３
0003119767.tif 000002
【実用新案登録請求の範囲】
【請求項１】
回動可能な左右一対の可動翼片と、上下動する先端部によって前記可動翼片を回動操作する操作アームと、略Ｌ字形に屈曲形成され、その縦壁を前記可動翼片の前方に位置させるとともに、その横壁を前記操作アームの先端部に向けて延出させてこれの下方に位置させた磁性体とを具備する遊技機の盤面役物。
【考案の詳細な説明】
【技術分野】
【０００１】
本考案はパチンコ遊技機、アレンジボール遊技機等の遊技機の盤面役物に関し、特に、磁石を使用した不正操作を有効に防止できる盤面役物に関する。    
【背景技術】
【０００２】
この種の盤面役物として、傾倒姿勢と起立姿勢との間で回動可能な左右一対の可動翼片と、上下動する先端部によって可動翼片の後方からこれを開閉操作する操作アームとを設けたものがあり、操作アームは通電された電磁ソレノイドによって吸引上昇させられて上記可動翼片を傾倒開放姿勢へ回動させる。このような盤面役物に対して遊技盤の前方から強力な磁石による磁界を作用させて、電磁ソレノイドに通電していないにもかかわらず操作アームを吸引上昇させて可動翼片を開放させる不正操作が行われることがある。そこで、このような不正操作を防止するために、特許文献１では左右の可動翼片の前方に位置するカバー体の前面に磁性体製のシールド板を貼着して、遊技盤の前方からの磁石磁界が操作アームに作用しないようにしている。
【特許文献１】特開平８−１０３５３７
【考案の開示】
【考案が解決しようとする課題】
【０００３】
しかし、近年は不正操作に使用される磁石が希土類系等のきわめて強力なものになっており、上記従来の構造では不正操作を完全には防止できないという問題があった。
【０００４】
そこで、本考案はこのような課題を解決するもので、強力な磁石を使用して可動翼片を開放させる不正行為を有効に防止することができる遊技機の盤面役物を提供することを目的とする。
【課題を解決するための手段】
【０００５】
上記目的を達成するために、本考案では、回動可能な左右一対の可動翼片（３）と、上下動する先端部（５２）によって可動翼片（３）を回動操作する操作アーム（５）と、略Ｌ字形に屈曲形成され、その縦壁（６１）を可動翼片（３）の前方に位置させるとともに、その横壁（６２）を操作アーム（５）の先端部（５２）に向けて延出させてこれの下方に位置させた磁性体（６）とを具備している。
【０００６】
本考案において、遊技盤前方から強力な磁石磁界を、可動翼片を傾倒する方向に作用させても、磁性体の横壁が操作アームの先端の下方に位置していることによって、上記磁石磁界が作用する磁性体と操作アーム先端部とが近接しているので磁力による大きな吸引力が生じて、操作アームは下方回動位置に強力に保持される。このため、操作アームが磁石磁界に吸引されて上方へ回動してしまうことはない。
【０００７】
なお、上記カッコ内の符号は、後述する実施形態に記載の具体的手段との対応関係を示すものである。
【考案の効果】
【０００８】
以上のように、本考案の遊技機の盤面役物によれば、強力な磁石を使用して可動翼片を開放させる不正行為を有効に防止することができる。
【考案を実施するための最良の形態】
【０００９】
図１には盤面役物の一例として電動役物の正面図を示し、図２にはその側面図を示す。また、図３は図１のIII-III線に沿った断面図、図４は図１のIV−IV線に沿った断面図、図５は図２のV-V線に沿った断面図である。電動役物１は遊技盤Ｐの取付開口Ｐ１（図２）内に装着される筐体部１１を備えており、筐体部１１内には下半に遊技球の流通路１３（図４）が形成されるとともに、上半には電磁ソレノイド２が内設されている。筐体部１１の前端には大径の取付フランジ１４（図１）が形成されており、その左右の二箇所に設けた取付孔１４１によって筐体部１１が遊技盤Ｐに固定される。
【００１０】
取付フランジ１４の前面には略L字断面をなして前方へ突出するカバー部４が固定されており、カバー部４の内空間には取付フランジ１４との間の左右位置に可動翼片３が配設されている。可動翼片３はカバー部４の立壁４１内面に突設された軸体４１１（図５）によって回動可能に支持されており、各図は可動翼片３が起立した閉鎖姿勢になっている状態を示している。なお、取付フランジ１４はその下側外周１４ａが直線状に切り欠かれて、図４に示すように、カバー部４下端後面と遊技盤Ｐ前面との間に凹空間Ｓが形成されている。このような凹空間Ｓには、電動役物１の下方に設けた可変入賞装置等の取付フランジＲ（図２）の上端を差し込むことができるから、部品取付面積の限られた遊技盤面を有効に使用することができる。
【００１１】
筐体部１１内には電磁ソレノイド２の下方位置に板状の操作アーム５が配設されている。操作アーム５は前方へ下方傾斜させて設けられて、その基端５１が筐体部１１内に上下方向へ回動可能に支持されている。操作アーム５は先端部が二股に分かれて脚部５２としてカバー部４内へ延び（図３）、各脚部５２の先端が左右の可動翼片３の下方に位置している（図５）。操作アーム５と電磁ソレノイド２との間には板ばね５３（図３、図４）が配設されて操作アーム５を下方へ付勢している。電磁ソレノイド２に通電すると、操作アーム５は板ばね５３のバネ力に抗して上方へ吸引回動させられ、その脚部５２が上方へ移動して、各可動翼片３の内側下端部に形成された切欠き３１（図５）内に進入してこれを押し上げる。これにより、各可動翼片３は互いに外方へ傾倒回動させられて開放姿勢になる。
【００１２】
電磁ソレノイド２への通電を停止すると、操作アーム５は板ばね５３のバネ力と自重によって下方へ回動させられ、各可動翼片３は起立した閉鎖姿勢に戻る。この状態で遊技盤の前方から強力な磁石で磁界を作用させて、操作アーム５を板ばね５３のバネ力に抗して上方へ吸引回動させると、可動翼片３が開放姿勢になってしまう。
【００１３】
ここにおいて、本実施形態では、図６に示すような磁性板６を電動役物１に装着する。磁性板６は、冷延鋼板や亜鉛鋼板製の板材をプレスで打ち抜いた後、Ｌ字形に屈曲形成したもので、その縦壁６１はカバー部４の立壁４１前面の形状に沿った外形に形成されている（図１参照）。また、磁性板６の横壁６２は左右位置に突出する脚部６２１を有する形状に形成されており、両脚部６２１の形成位置は上記操作アーム５の脚部５２に対応させてある。
【００１４】
磁性板６は、図１、図３に示すように、縦壁６１がカバー部４の立壁４１前面に形成された凹陥部４１３内に装着され、横壁６２はカバー部４の立壁４１に形成された横長開口４１２内に挿入されてカバー部４の空間内に延び、各脚部６２１の先端が操作アーム５の各脚部５２の先端に近接する下方に位置している。この場合、横壁６２の各脚部６２１は必ずしも操作アーム５の各脚部５２の直下にある必要は無く、多少左右方向、前後方向へずれていても良い。なお、磁性板６の縦壁６１表面は、図７に示すように、凹陥部４１３内全面にシール７を装着して覆われる。
【００１５】
このような構造の電動役物１に対して遊技盤Ｐ前方から強力な磁石磁界を作用させても、磁性板６の横壁脚部６２１の先端が操作アーム５の脚部５２先端に近接していることによって磁界がループし、上記磁界が作用すると、近接するこれら脚部６２１，５２間に磁力による大きな吸引力が生じて、操作アーム５は下方回動位置に強力に保持される。この結果、操作アーム５が吸引されて上方へ回動してしまうことはない。
【００１６】
本考案は上記実施形態に記載したような、電磁ソレノイドに通電すると操作アームを基端を軸に回動させる方式の電気的駆動機構に限定されず、電磁ソレノイドに通電すると進退移動するプランジャにより操作アームを作動させる方式の電気的駆動機構に適用しても良い。また、本考案は、可動翼片を有する盤面役物に限られず、例えば、下側軸支で上側が開閉する可動板を有する可変入賞装置や、可動装置等の他の盤面役物に適用しても良い。
【図面の簡単な説明】
【００１７】
【図１】本発明の一実施形態を示す、盤面役物の正面図である。
【図２】本発明の一実施形態を示す、盤面役物の側面図である。
【図３】図１のIII-III線に沿った断面図である。
【図４】図１のIV−IV線に沿った断面図である。
【図５】図２のV-V線に沿った断面図である
【図６】磁性板の斜視図である。
【図７】カバー部立壁の拡大断面図である。
【符号の説明】
【００１８】
３…可動翼片、５…操作アーム、５２…脚部（先端部）、６…磁性板（磁性体）、６１…縦壁、６２…横壁、６２１…脚部。
【図１】
0003119767.tif 000003
【図２】
0003119767.tif 000004
【図３】
0003119767.tif 000005
【図４】
0003119767.tif 000006
【図５】
0003119767.tif 000007
【図６】
0003119767.tif 000008
【図７】
0003119767.tif 000009